(57)【要約】【課題】　電子カードとしっかりと接続し、かつ電子カードを保護するためのカード用電気コネクタを提供することを目的とする。【解決手段】　本発明のカード用電子コネクタは絶縁本体と、絶縁本体内に収容する導電性端子と、シールドハウジングとを含む。絶縁本体に係止する主本体部はシールドハウジングに設けられている。かつ主本体部があるシールドハウジングの部分は絶縁本体の末端部から隆起して延伸部に形成する。シールドハウジングに設置された延伸部を介して、電子カードを完全にカード用電気コネクタ内に収容できる。したがって、従来の技術に、電子カードの部分がカード用電気コネクタの外部に露出するため電子カードを損害し、或いは電子カードの傾斜のためカード用電気コネクタの端子をプレスして変形する欠点を回避できる。【選択図】　図１
2004119374.tif 000002
【特許請求の範囲】
【請求項１】
　絶縁本体と、
　絶縁本体内に収容される導電性端子と、
　絶縁本体に係止する主本体部と主本体部の端部が絶縁本体の末端部から隆起して形成する延伸部とを含むシールドハウジングと、
　を備えることを特徴とするカード用電気コネクタ。
【請求項２】
　前記延伸部に頂壁と両ガイド側壁が設けられ、かつ該両ガイド側壁が該頂壁から下へ曲られて設置されていることを特徴とする請求項１に記載のカード用電気コネクタ。
【請求項３】
　前記延伸部の先端と隣接する前記両ガイド側壁の部分に各に第１ガイド部が設けられていることを特徴とする請求項２に記載のカード用電子コネクタ。
【請求項４】
　前記第１ガイド部と隣接する前記両ガイド側壁に各に第２溶接ピンが設けられていることを特徴とする請求項３に記載のカード用電子コネクタ。
【請求項５】
　前記主本体部と隣接する前記両ガイド側壁の端部に各に第２ガイド部が設置されていることを特徴とする請求項４に記載のカード用電子コネクタ。
【請求項６】
前記延伸部と前記主本体部は略正方形をし、かつ前記延伸部は前記主本体部よりやや狭いことを特徴とする請求項１或いは請求項５に記載のカード用電子コネクタ。
【発明の詳細な説明】
【技術分野】
【０００１】
　本発明はカード用電気コネクタに関し、特に、微小のメモリカードを電子デバイスに接続するためのカード用電気コネクタに関するものである。
【背景技術】
【０００２】
　従来、消費性電子産業が急速に発展する一方で、ますます多くの電子カードなどのカード状電子部品がさまざまな電子デバイスに用いられるので、これらのカード状電子部品と電子デバイスの間に電気信号を伝送するためのカード用電気コネクタがより重要になっている。通常、電子カードはカード用電気コネクタを介して、回路板と電気的に接続する。その他に、これらのカード用電気コネクタにシールドハウジングを設け、電磁干渉を防止し、粉塵を抑制し、電子カードを保護する効能がある。
【０００３】
　本発明と相関する内容はＤＤＫ会社が製造するＭＣＫ−１０ＡＮＡ−２Ｎ型のカード用電子コネクタと特許文献１を参照する。該従来の技術に開示したカード用電気コネクタに設けられたシールドハウジングと絶縁本体は接続する必要がある電子カードより短い。それによって、電子カードの部分がカード用電気コネクタの外部に露出する。実際に使用する場合に、外力のため、電子カードを損害し、或いは電子カードが傾斜されるためカード用電気コネクタの端子をプレスして変形する恐れがある。したがって、電子カードとカード用電気コネクタとの接続は安定できない。
【０００４】
　その他に、同業者は前記の欠点を解決するために、絶縁本体とシールドハウジングの長さは電子カードとほぼ同じである。しかし、該設計により絶縁本体は長いので、今日の電子部品の小型化デザインの発展傾向に適さず、製造コストも増える。
【特許文献１】台湾特許第４８７８８８１号明細書
【発明の開示】
【発明が解決しようとする課題】
【０００５】
　本発明は、電子カードとしっかりと接続し、かつ電子カードを保護するためのカード用電気コネクタを提供することを目的とする。
【課題を解決するための手段】
【０００６】
　前記の目的を達成するために、本発明のカード用電気コネクタは絶縁本体と、絶縁本体内に収容する導電性端子と、シールドハウジングとを含む。絶縁本体に係止する主本体部はシールドハウジングに設けられている。かつ主本体部があるシールドハウジングの部分は絶縁本体の末端部から隆起して延伸部に形成する。
【発明を実施するための最良の形態】
【０００７】
　図１、図２、及び図３に示すように、本発明のカード用電気コネクタはシールドハウジング１と、絶縁本体２と、導電性端子３と、排出機構４とを含む。シールドハウジング１は主本体部１０と、主本体部１０から前へ延伸して設置された延伸部１１とを含む。該主本体部１０は略正方形をし、頂面１００と該頂面１００から下へ曲られて設置された両側壁１０１を含む。前記延伸部１１と隣接する該頂面１００の部分に第１窓１０２を設け、かつ第１窓１０２の該頂面１００と隣接部分の両側に各に絶縁本体２を係止するための第１係止スプリングシート１０３及び第２係止スプリングシート１０４を設ける。該頂面１００のほかの端部は下へ曲られて第３係止スプリングシート１０５及び第４係止スプリングシート１０６を設けている。そのほかに、前記両側壁１０１の両端部は平らに外へ延伸して第１溶接部１０７を設けている。かつ第１溶接部１０７と隣接する該両側壁１０１の部分に絶縁本体２を係止する開口１０８を設けている。前記延伸部１１は略正方形をし、主本体部１０の頂面１００から前へ延伸して設置された頂壁１１０と該頂壁１１０から下へ曲られて設置された両ガイド側壁１１１とを含む。該頂壁１１０の前端の中部に略アーチ状の切欠き１１２が設けられている。前記第１窓１０２と隣接する端部に略正方形の第２窓１１３が設けられている。そのほかに、前記切欠き１１２と隣接する前記両ガイド側壁１１１の端部に対称的に一対の第１ガイド部１１４が設置され、かつ該一対の第１ガイド部１１４と隣接する部分の各には第２溶接部１１５が設けられ、該一対の第１ガイド部１１４と遠く離れた部分には各に第２ガイド部１１６が設けられている。更に、前記延伸部１１は主本体部１０よりやや狭い。
【０００８】
　前記絶縁本体２は第１側アーム２０と、接続アーム２１と、第２側アーム２２とを備える。該第１側アーム２０に前記排出機構４を収容するための収容スベース２００とガイド電子カード（図示せず）を挿入するためのガイドチャンネル２０１が設けられている。かつシールドハウジング１に設置された第２スプリングシート１０４及び第４係止スプリングシート１０６を係止するための第２係止孔２０３及び第４係止孔２０２は各に該第１側アーム２０の両端部に設置されている。第４係止孔２０２と近接する第１側アーム２０の端部の下部に係合孔２０４が設けられている。前記接続アーム２１は略正方形をし、複数の導電性端子３を収容する。かつ前記第１側アーム２０に設けられた係合孔２０４と対応する係止突起２１１は該接続アーム２１の端部に設置されている。該第１係止突起２１１と近接する端部の上表面に第３係止スプリングシート１０５と係合する第３係止孔２１０が開設されている。第３係止孔２１０から遠く離れた端部に第２側アーム２２と結合する係合突起２１２が設置されている。前記接続アーム２１と接続する前記第２側アーム２２の端部に前記係合突起２１２と係合する係合凹部２２１が設置されている。該係合凹部２２１から遠く離れた端部に前記第１係止スプリングシート１０３を係止するための第１係止孔２２０が設けられている。そのほかに、前記シールドハウジング１に開設された両開口１０８と対応する第２係止突起２１３が各に前記第１側アーム２０及び接続アーム２１に設けられている。
【０００９】
　前記排出機構４はイジェクト本体４０と、排出スプリングシート４１と、弾性体４２と、プッシャーバー４３とを含む。該排出機構４の他の構造と効能は従来技術にすでに紹介されるので、ここに詳細に紹介しない。
【００１０】
　組立てる場合に、まず、第１側アーム２０がシールドハウジング１に組立てられることによって、シールドハウジング１に設置された第２係止スプリングシート１０４及び第４係止スプリングシート１０６は各に第１側アーム２０に設けた第２係止孔２０３及び第４係止孔２０２に係止される。それから、接続アーム２１がシールドハウジング１に組立てられることによって、接続アーム２１に設置された第１係止突起２１１が第１側アーム２０に設けた係合孔２０４に係止される一方、シールドハウジング１に設置された第３係止スプリングシート１０５は接続アーム２１に設けた第３係止孔２１０に係止されている。最後に、第２側アーム２２がシールドハウジング１に組立てられることによって、接続アーム２１に設置された係合突起２１２と第２側アーム２２に設けた対応凹部２２１と結合する一方、第１係止スプリングシート１０３は第１係止孔２２０に係止されている。
【００１１】
　従来の技術と比べて、シールドハウジングに設置された延伸部１１を介して、電子カードを完全にカード用電気コネクタ１００内に収容できる。したがって、従来の技術に、電子カードの部分がカード用電気コネクタの外部に露出するため電子カードを損害し、或いは電子カードが傾斜されるためカード用電気コネクタの端子をプレスして変形する欠点を回避できる。
【００１２】
　総じて、本発明の多数の特徴及び長所など、その構造及び機能が共に前述の記載により掲げられている。また前記の説明は、本発明に基づきなしうる細部の修正或いは変更など、いずれも本発明の請求範囲に属するものとする。
【図面の簡単な説明】
【００１３】
【図１】本発明におけるカード用電気コネクタの組合せ斜視図である。
【図２】本発明におけるカード用電気コネクタの分解斜視図である。
【図３】本発明におけるシールドハウジングの斜視図である。
【符号の説明】
【００１４】
　１　カード用電気コネクタ
　２　絶縁本体
　３　導電性端子
　４　排出機構
　１０　主本体部
　１１　延伸部
　２０　第１側アーム
　２１　接続アーム
　２２　第２側アーム
　４０　イジェクト本体
　４１　排出スプリングシート
　４２　弾性体
　４３　プッシャーバー
　１００　頂面
　１０１　側壁
　１０２　第１窓
　１０３　第１係止スプリングシート
　１０４　第２係止スプリングシート
　１０５　第３係止スプリングシート
　１０６　第４係止スプリングシート
　１０７　第１溶接ピン
　１０８　開口
　１１０　頂壁
　１１１　ガイド側壁
　１１２　アーチ状の切欠き
　１１３　第２窓
　１１４　第１ガイド部
　１１５　第２溶接ピン
　１１６　第２ガイド部
　２００　収容スペース
　２０１　ガイドチャンネル
　２０２　第４係止孔
　２０３　第２係止孔
　２０４　係合孔
　２１０　第３係止孔
　２１１　第１係止突起
　２１２　係合突起
　２１３　第２係止突起
　２２０　第１係止孔　
　２２１　対応凹部
【図１】
2004119374.tif 000003
【図２】
2004119374.tif 000004
【図３】
2004119374.tif 000005